(57)【要約】【課題】食品の汁が食品容器から流れ出るのを抑制した上で、蒸気を食品容器内に流入させる構造を備えた弁当箱を提供する。【解決手段】上側が開放された食品収容空間部１１が、側壁体１２によって囲まれた食品容器１３と、食品容器１３に取り付けられて食品収容空間部１１の上側を閉じる中蓋１４と、中蓋１４の上側に載せられる外蓋１５と、食品容器１３の下方に設けられ、水を加熱して蒸気を発生させる加熱ユニット１６とを有し、側壁体１２には、下側に、蒸気の取込み口２１が形成され、取込み口２１の上方に、蒸気を放出する吹出し口２４が設けられ、中蓋１４は、食品容器１３に取り付けられて、吹出し口２４を塞ぎ、外蓋１５は、中蓋１４を取り外した食品容器１３に取り付けられて、吹出し口２４に非接触な状態で食品収容空間部１１の上方及び吹出し口２４の上方を覆い、吹出し口２４から放出された蒸気が食品収容空間部１１に送られる流路を確保する。【選択図】図１
2015217158.tif 000002
【特許請求の範囲】
【請求項１】
上側が開放された食品収容空間部Ｃが、側壁体Ｄによって囲まれた食品容器Ｅと、
前記食品容器Ｅに取り付けられて前記食品収容空間部Ｃの上側を閉じる中蓋Ｆと、
前記中蓋Ｆの上側に載せられる外蓋と、
前記食品容器Ｅの下方に設けられ、水を加熱して蒸気を発生させる加熱ユニットとを有し、
前記側壁体Ｄには、下側に、前記蒸気の取込み口Ｇが形成され、該取込み口Ｇの上方に、該取込み口Ｇから該側壁体Ｄ内に流入した蒸気を放出する吹出し口Ｈが設けられ、
前記中蓋Ｆは、前記食品容器Ｅに取り付けられて、前記吹出し口Ｈを塞ぎ、
前記外蓋は、前記中蓋Ｆを取り外した前記食品容器Ｅに取り付けられて、前記吹出し口Ｈに非接触な状態で前記食品収容空間部Ｃの上方及び該吹出し口Ｈの上方を覆い、該吹出し口Ｈから放出された蒸気が該食品収容空間部Ｃに送られる流路を確保することを特徴とする弁当箱。
【請求項２】
請求項１記載の弁当箱において、前記側壁体Ｄには、上方へ突出した突起Ｋが上側に形成され、前記中蓋Ｆは、突起受け部Ｍを備え、該突起受け部Ｍを前記突起Ｋに係止して、前記側壁体Ｄに位置決めされることを特徴とする弁当箱。
【請求項３】
請求項２記載の弁当箱において、前記吹出し口Ｈは、前記突起Ｋに形成されていることを特徴とする弁当箱。
【請求項４】
請求項１〜３のいずれか１項に記載の弁当箱において、前記中蓋Ｆは、周縁が、前記外蓋の周縁と前記側壁体Ｄとによって上下から挟まれた状態で固定されることを特徴とする弁当箱。
【請求項５】
請求項１〜４のいずれか１項に記載の弁当箱において、上側が開放された食品収容空間部ｃが側壁体ｄによって囲まれ、前記食品容器Ｅと前記加熱ユニットの間に配される食品容器ｅと、
前記食品容器ｅに取り付けられて前記食品収容空間部ｃの上側を閉じる中蓋ｆとを、更に有し、
前記側壁体ｄには、下側に、前記蒸気の取込み口ｇが形成され、該取込み口ｇの上方に、該取込み口ｇから該側壁体ｄ内に流入した蒸気を放出する吹出し口ｈが設けられ、
前記中蓋ｆは、前記食品容器ｅに取り付けられて、前記吹出し口ｈを塞ぎ、
前記食品容器Ｅは、前記中蓋ｆが取り外された前記食品容器ｅに取り付けられて、前記吹出し口ｈに非接触な状態で前記食品収容空間部ｃの上方及び該吹出し口ｈの上方を覆い、該吹出し口ｈから放出された蒸気が該食品収容空間部ｃ及び前記取込み口Ｇに送られる流路を確保することを特徴とする弁当箱。
【請求項６】
請求項５記載の弁当箱において、前記側壁体ｄには、上方へ突出した突起ｋが上側に形成され、前記中蓋ｆは、突起受け部ｍを備え、該突起受け部ｍを前記突起ｋに係止して、前記側壁体ｄに位置決めされ、前記吹出し口ｈは前記突起ｋに形成されていることを特徴とする弁当箱。
【請求項７】
請求項５又は６記載の弁当箱において、前記中蓋ｆは、周縁が、前記食品容器Ｅ、ｅによって上下から挟まれた状態で固定されることを特徴とする弁当箱。
【請求項８】
請求項１〜７のいずれか１項に記載の弁当箱において、前記加熱ユニットは、底部の一部又は該底部の全体が金属板からなり前記水が入れられる器体と、前記金属板の下側に取り付けられ、導電により発熱する発熱体とを備えることを特徴とする弁当箱。
【発明の詳細な説明】
【技術分野】
【０００１】
本発明は、弁当箱に関する。
【背景技術】
【０００２】
弁当箱に収容された食品は、放熱により時間の経過と共に温度が低下する。温度が低下した食品は、弁当箱と共に電子レンジ等の加熱装置によって温めることができるが、食品を温めたい場所に加熱装置があるとは限らない。そこで、食品を加熱する機能を備えた弁当箱が求められ、その具体例が、特許文献１に記載されている。
特許文献１には、食品を入れた食品容器（食品箱）の下側に、水を加熱して蒸気を発生させる加熱装置を設け、蒸気の熱によって食品を加熱する２つのタイプの弁当箱が開示されている。その一つは、食品容器の底を蒸気で加熱し、間接的に食品を温めるものであり、蒸気は、食品容器内に流入しない。もう一つは、食品容器に、蒸気を通過させる貫通孔が形成され、蒸気を、直接、食品容器内に流入させる設計を採用している。
蒸気が食品容器内に流入する弁当箱は、蒸気が食品容器内に流入しない弁当箱に比べて、食品を温める時間を短縮できるという利点がある。
【先行技術文献】
【特許文献】
【０００３】
【特許文献１】特開２００１−１６９８１８号公報
【発明の概要】
【発明が解決しようとする課題】
【０００４】
しかしながら、蒸気を食品容器内に流入させる特許文献１に記載の弁当箱は、蒸気を通過させる貫通孔が、食品容器の底に形成されているので、食品から出る汁が貫通孔を通過して食品容器から流れ出るという課題があった。
本発明は、かかる事情に鑑みてなされるもので、食品から出る汁が食品容器から流れ出るのを抑制した上で、蒸気を食品容器内に流入させる構造を備えた弁当箱を提供することを目的とする。
【課題を解決するための手段】
【０００５】
前記目的に沿う本発明に係る弁当箱は、上側が開放された食品収容空間部Ｃが、側壁体Ｄによって囲まれた食品容器Ｅと、前記食品容器Ｅに取り付けられて前記食品収容空間部Ｃの上側を閉じる中蓋Ｆと、前記中蓋Ｆの上側に載せられる外蓋と、前記食品容器Ｅの下方に設けられ、水を加熱して蒸気を発生させる加熱ユニットとを有し、前記側壁体Ｄには、下側に、前記蒸気の取込み口Ｇが形成され、該取込み口Ｇの上方に、該取込み口Ｇから該側壁体Ｄ内に流入した蒸気を放出する吹出し口Ｈが設けられ、前記中蓋Ｆは、前記食品容器Ｅに取り付けられて、前記吹出し口Ｈを塞ぎ、前記外蓋は、前記中蓋Ｆを取り外した前記食品容器Ｅに取り付けられて、前記吹出し口Ｈに非接触な状態で前記食品収容空間部Ｃの上方及び該吹出し口Ｈの上方を覆い、該吹出し口Ｈから放出された蒸気が該食品収容空間部Ｃに送られる流路を確保する。
【０００６】
本発明に係る弁当箱において、前記側壁体Ｄには、上方へ突出した突起Ｋが上側に形成され、前記中蓋Ｆは、突起受け部Ｍを備え、該突起受け部Ｍを前記突起Ｋに係止して、前記側壁体Ｄに位置決めされるのが好ましい。
【０００７】
本発明に係る弁当箱において、前記吹出し口Ｈは、前記突起Ｋに形成されているのが好ましい。
【０００８】
本発明に係る弁当箱において、前記中蓋Ｆは、周縁が、前記外蓋の周縁と前記側壁体Ｄとによって上下から挟まれた状態で固定されるのが好ましい。
【０００９】
本発明に係る弁当箱において、上側が開放された食品収容空間部ｃが側壁体ｄによって囲まれ、前記食品容器Ｅと前記加熱ユニットの間に配される食品容器ｅと、前記食品容器ｅに取り付けられて前記食品収容空間部ｃの上側を閉じる中蓋ｆとを、更に有し、前記側壁体ｄには、下側に、前記蒸気の取込み口ｇが形成され、該取込み口ｇの上方に、該取込み口ｇから該側壁体ｄ内に流入した蒸気を放出する吹出し口ｈが設けられ、前記中蓋ｆは、前記食品容器ｅに取り付けられて、前記吹出し口ｈを塞ぎ、前記食品容器Ｅは、前記中蓋ｆが取り外された前記食品容器ｅに取り付けられて、前記吹出し口ｈに非接触な状態で前記食品収容空間部ｃの上方及び該吹出し口ｈの上方を覆い、該吹出し口ｈから放出された蒸気が該食品収容空間部ｃ及び前記取込み口Ｇに送られる流路を確保するのが好ましい。
【００１０】
本発明に係る弁当箱において、前記側壁体ｄには、上方へ突出した突起ｋが上側に形成され、前記中蓋ｆは、突起受け部ｍを備え、該突起受け部ｍを前記突起ｋに係止して、前記側壁体ｄに位置決めされ、前記吹出し口ｈは前記突起ｋに形成されているのが好ましい。
【００１１】
本発明に係る弁当箱において、前記中蓋ｆは、周縁が、前記食品容器Ｅ、ｅによって上下から挟まれた状態で固定されるのが好ましい。
【００１２】
本発明に係る弁当箱において、前記加熱ユニットは、底部の一部又は該底部の全体が金属板からなり前記水が入れられる器体と、前記金属板の下側に取り付けられ、導電により発熱する発熱体とを備えるのが好ましい。
【発明の効果】
【００１３】
本発明に係る弁当箱は、中蓋Ｆが、食品容器Ｅに取り付けられて、吹出し口Ｈを塞ぎ、外蓋が、中蓋Ｆを取り外した食品容器Ｅに取り付けられて、吹出し口Ｈに非接触な状態で食品収容空間部Ｃの上方及び吹出し口Ｈの上方を覆い、吹出し口Ｈから放出された蒸気が食品収容空間部Ｃに送られる流路を確保するので、中蓋Ｆを食品容器Ｅに取り付けることで、食品の汁が食品容器Ｅから流れ出るのを抑制でき、外蓋を食品容器Ｅに取り付けることで、蒸気を食品容器Ｅ内に流入させることが可能である。
【図面の簡単な説明】
【００１４】
【図１】本発明の一実施の形態に係る弁当箱の側断面図である。
【図２】（Ａ）、（Ｂ）はそれぞれ、同弁当箱の平面図及び側面図である。
【図３】（Ａ）は食品容器の平面図であり、（Ｂ）は食品容器に中蓋を取り付けた様子を示す説明図である。
【図４】加熱ユニットの内側の説明図である。
【図５】食品収容空間部内の食品を温める様子を示す説明図である。
【図６】本発明の一実施の形態に係る弁当箱の変形例の側断面図である。
【発明を実施するための形態】
【００１５】
続いて、添付した図面を参照しつつ、本発明を具体化した実施の形態につき説明し、本発明の理解に供する。
図１、図２（Ａ）、（Ｂ）に示すように、本発明の一実施の形態に係る弁当箱１０は、上側が開放された食品収容空間部１１（食品収容空間部Ｃ）が、側壁体１２（側壁体Ｄ）によって囲まれた食品容器１３（食品容器Ｅ）と、食品容器１３に取り付けられて食品収容空間部１１の上側を閉じる中蓋１４（中蓋Ｆ）と、中蓋１４の上側に載せられる外蓋１５と、食品容器１３の下方に設けられ、水を加熱して蒸気を発生させる加熱ユニット１６とを有している。以下、これらについて説明する。
【００１６】
平面視して楕円形状の食品容器１３は、図１、図３（Ａ）に示すように、楕円形状の底板（底部の一例）１７及び底板１７の外縁に沿って設けられた側壁体１２を備え、食品容器１３には、調理された食品を収める上側開放の食品収容空間部１１が、周囲を側壁体１２によって囲まれ、下側を底板１７によって閉じられて設けられている。
側壁体１２は、底板１７の外縁全体に連続して設けられた内枠板１８、内枠板１８の外側に設けられた外枠板１９、及び、内枠板１８と外枠板１９とを接続する連結枠２０を備えている。
【００１７】
内枠板１８は、上に向かって外側に傾斜（本実施の形態では、鉛直に対して３〜１５°の傾斜）し、内枠板１８を囲む外枠板１９は、内枠板１８に対向配置され、内枠板１８から間隔を空けて設けられている。連結枠２０は、内枠板１８の上端全体と外枠板１９の上端全体とを接続している。
そして、内枠板１８の下側と、内枠板１８の下側から間隔を空けて配置された外枠板１９の下側とによって、側壁体１２の下側には、加熱ユニット１６が発生させた蒸気を取り込む取込み口２１（取込み口Ｇ）が形成されている。
【００１８】
平面視して楕円形状の連結枠２０（即ち、側壁体１２の上側）には、全体にわたって、上方へ突出した突起２２（突起Ｋ）が形成され、突起２２の外側に、突起２２より低い位置に設けられた外縁部２３が形成されている。突起２２には、取込み口２１から内枠板１８と外枠板１９の間の隙間（即ち、側壁体１２内）に流入した蒸気を、側壁体１２内から放出する複数の吹出し口２４（吹出し口Ｈ）が形成されている。複数の吹出し口２４は、取込み口２１の上方に設けられ、突起２２全体に分布している。
【００１９】
平面視して楕円形状の中蓋１４は、図１、図３（Ｂ）に示すように、外縁に沿って形成された突起受け部２５（突起受け部Ｍ）を備え、突起受け部２５に突起２２が嵌め込まれることによって、食品容器１３の所定の位置に装着される。即ち、中蓋１４は、突起受け部２５を突起２２に係止して、側壁体１２に位置決めされる。
本実施の形態において、中蓋１４は、板状であり、突起受け部２５は、上方に窪んだ溝である。
【００２０】
中蓋１４は、食品容器１３に取り付けられることによって、突起受け部２５が、突起２２全体に密接して、複数の吹出し口２４を塞ぎ、中蓋１４の突起受け部２５に囲まれた領域が、食品収容空間部１１の上側を閉じる。これによって、中蓋１４は、食品収容空間部１１に入れられた食品から出る汁が、食品収容空間部１１から外に流れ出るのを抑制した状態になる。
また、中蓋１４は、突起受け部２５の外側に、中蓋１４が食品容器１３に装着されて、外縁部２３に上から接する外周部２６を備えている。
【００２１】
外蓋１５は、図１、図２（Ａ）、（Ｂ）に示すように、下に垂れ下がった垂下部２７を外縁に備え、垂下部２７を、食品容器１３に装着された中蓋１４の外周部２６に載せた状態で、中蓋１４に取り付けられる。
本実施の形態では、食品容器１３、中蓋１４及び外蓋１５が、ポリプロピレンによって形成されているが、これに限定されない。
【００２２】
食品容器１３の下方に配された加熱ユニット１６は、図１、図４に示すように、水を蓄える器体２８、電力供給により器体２８の底部を加熱する発熱体２９、及び、発熱体２９に電力を供給する回路基板３０を備えている。
加熱ユニット１６の上側に設けられた器体２８は、底部の一部が水平配置された金属板３１（本実施の形態では、アルミニウム板）からなり、発熱体２９は、金属板３１の下側に取り付けられている。なお、器体２８は、底部の全体が金属板であってもよい。また、図４は、底板を取り外した加熱ユニット１６を、底側から見た様子を示している。
【００２３】
導電により発熱する発熱体２９は、回路基板３０に接続された長尺のステンレス鋼であり、一側及び他側に幾度も折れ曲がったジグザグ形状に加工され、表面が絶縁体で覆われている。
金属板３１には、金属板３１が所定以上の温度になるのを防止するサーモスタット３２が装着されている。
【００２４】
回路基板３０には、図示しない外部電源に接続されるコンセント３３が連結され、発熱体２９への電力供給が所定時間（本実施の形態では、５〜１５分）継続した時点で発熱体２９への電力供給を止める図示しない制御回路や、過熱防止用の図示しないヒューズや、発熱体２９への電力の供給と遮断を切り替える図示しないスイッチが設けられている。そして、金属板３１と回路基板３０の間には、回路基板３０が発熱体２９及び金属板３１から受ける熱を抑制する断熱材３４が配されている。
なお、図１、図４、図５においては、回路基板３０と発熱体２９の接続の記載、及び、回路基板３０とサーモスタット３２の接続の記載がそれぞれ省略されている。
【００２５】
また、本実施の形態では、図１、図２（Ｂ）に示すように、食品容器１３と加熱ユニット１６の間に、食品容器３５（食品容器ｅ）が配されている。
食品容器３５は、食品容器１３と同じ形状を備え、側壁体３６（側壁体ｄ）及び底板（底部の一例）３７を有し、上側が開放された食品収容空間部３８（食品収容空間部ｃ）が、周囲を側壁体３６によって囲まれ、下側が底板３７によって閉じられて形成されている。
【００２６】
側壁体３６は、底板３７に連続して形成された内枠板３９、内枠板３９の外側に設けられた外枠板４０、及び、内枠板３９の上端と外枠板４０の上端を接続する連結枠４１を有している。
外枠板４０と内枠板３９は間隔を空けて配置され、側壁体３６の下側には、加熱ユニット１６で生じた蒸気を取り込む取込み口４２（取込み口ｇ）が形成されている。
【００２７】
平面視して楕円形状の連結枠４１（即ち、側壁体３６の上側）には、上方へ突出した突起４３（突起ｋ）が形成され、突起４３の外側に、突起４３より低い位置に設けられた外縁部４４が形成されている。突起４３には、取込み口４２から内枠板３９と外枠板４０の間の隙間（即ち、側壁板３６内）に流入した蒸気を、側壁体３６内から放出する複数の吹出し口４５（吹出し口ｈ）が形成されている。複数の吹出し口４５は、取込み口４２の上方に設けられている。
【００２８】
食品容器３５に取り付けられる中蓋４７（中蓋ｆ）は、中蓋１４と同様の形状を有し、外縁に沿って形成された突起受け部４８（突起受け部ｍ）を備え、突起受け部４８を突起４３に係止して、側壁体３６に位置決めされる。
本実施の形態において、突起受け部４８は、上方に窪んだ溝であり、食品容器３５及び中蓋４７は、ポリプロピレンによって形成されているが、これに限定されない。
【００２９】
中蓋４７は、食品容器３５に取り付けられることによって、突起受け部４８が、突起４３全体に密接して、複数の吹出し口４５の全部を塞ぎ、中蓋４７の突起受け部４８に囲まれた領域が、食品収容空間部３８の上側を閉じる。これによって、中蓋４７は、食品収容空間部３８に入れられた食品から出る汁が、食品収容空間部３８から外に流れ出るのを抑制可能となる。
【００３０】
中蓋４７は、突起受け部４８の外側に、中蓋４７が食品容器３５に装着されて、外縁部４４に上から接する外周部４９を備え、食品容器１３は、外枠板１９の下端を外周部４９に載せることによって、中蓋４７が取り付けられた食品容器３５の上に積み重ねられる。
そして、食品容器３５は、外枠板４０の下端を、加熱ユニット１６の器体２８の外側に上から密着させることによって、加熱ユニット１６の上に積み重ねられる。
【００３１】
本実施の形態では、弁当箱１０は、図２（Ａ）、（Ｂ）に示すように、加熱ユニット１６、食品容器３５、中蓋４７、食品容器１３、中蓋１４及び外蓋１５が、下から順に積み重ねられた状態で、全体をゴムバンド５０で締め付けられることによって、持ち運びされる。
このとき、中蓋１４は、外周部２６（即ち、周縁）が、外蓋１５の垂下部２７（即ち、周縁）と側壁体１２とによって上下から挟まれた状態で固定され、中蓋４７は、外周部４９（即ち、周縁）が、外枠板１９と外縁部４４とによって上下から挟まれた状態で固定されるので、中蓋１４は、食品収容空間部１１から外に食品の汁が出るのを確実に抑制でき、中蓋４７は、食品収容空間部３８から外に食品の汁が出るのを確実に抑制可能である。
【００３２】
次に、食品容器１３に入れられた食品及び食品容器３５に入れられた食品の加熱方法について説明する。
まず、弁当箱１０は、ゴムバンド５０が取り外された後、中蓋１４、４７が取り外され、食品容器３５が加熱ユニット１６から取り外される。次に、露出した器体２８に水（本実施の形態では、５〜１５ｍｌ）が入れられ、加熱ユニット１６に食品容器３５が取り付けられた後、外蓋１５が、図５に示すように、垂下部２７を外縁部２３に載せた状態で、中蓋１４を取り外した食品容器１３に、直接、取り付けられ、食品容器１３が、外枠板１９を外縁部４４に載せた状態で、中蓋４７を取り外した食品容器３５に、直接、取り付けられる。
【００３３】
このとき、外蓋１５は、複数の吹出し口２４に非接触な状態で食品収容空間部１１及び複数の吹出し口２４の上方を覆い、複数の吹出し口２４それぞれから放出された蒸気が食品収容空間部１１に送られる流路を確保する。そして、食品容器１３は、複数の吹出し口４５に非接触な状態で、食品収容空間部３８の上方及び複数の吹出し口４５の上方を覆い、複数の吹出し口４５それぞれから放出された蒸気が食品収容空間部３８及び取込み口２１に送られる流路を確保する。取込み口２１は、複数の吹出し口４５の上方に配置される。
【００３４】
この状態で、コンセント３３が外部電源に接続され、加熱ユニット１６のスイッチがオンにされて発熱体２９に電力供給がなされると、発熱体２９が金属板３１を加熱し、加熱された金属板３１が器体２８に入れられた水を熱して水蒸気を発生させる。発生した水蒸気は、取込み口４２から側壁体３６内に流入して複数の吹出し口４５から放出され、その一部が、食品収容空間部３８に送られて食品収容空間部３８内の食品を温め、残りが、取込み口２１から側壁体１２内に流入して複数の吹出し口２４から放出され、食品収容空間部１１内に送られて食品収容空間部１１内の食品を温める。
加熱ユニット１６のスイッチがオンにされて所定時間経過後、発熱体２９への電力供給は、自動的に停止する。
【００３５】
以上、本発明の実施の形態を説明したが、本発明は、上記した形態に限定されるものでなく、要旨を逸脱しない条件の変更等は全て本発明の適用範囲である。
例えば、回路基板は、外部電源から、直接、電力を供給される必要がなく、電池が装着可能な構造を備え、電池から電力を供給されてもよい。
また、弁当箱の形状は、平面視して楕円形状に限定されず、例えば、平面視して四角形状（角部に丸みを有するものも含む）、その他の多角形状、円形状等であってもよい。
そして、弁当箱は、積み重ねられる２つの食品容器を備えるものに限定されず、積み重ねられる３つ以上の食品容器を備えるものであってもよいし、図６に示すように、１つの食品容器を備えるもの（弁当箱６０）であってもよい。なお、図６では、弁当箱６０において、弁当箱１０と同様の構成については同じ符号を付している。弁当箱６０は、弁当箱１０に対し、中蓋４７及び食品容器３５がなく、食品容器１３が、直接、加熱ユニット１６に取り付けられる。
【符号の説明】
【００３６】
１０：弁当箱、１１：食品収容空間部、１２：側壁体、１３：食品容器、１４：中蓋、１５：外蓋、１６：加熱ユニット、１７：底板、１８：内枠板、１９：外枠板、２０：連結枠、２１：取込み口、２２：突起、２３：外縁部、２４：吹出し口、２５：突起受け部、２６：外周部、２７：垂下部、２８：器体、２９：発熱体、３０：回路基板、３１：金属板、３２：サーモスタット、３３：コンセント、３４：断熱材、３５：食品容器、３６：側壁体、３７：底板、３８：食品収容空間部、３９：内枠板、４０：外枠板、４１：連結枠、４２：取込み口、４３：突起、４４：外縁部、４５：吹出し口、４７：中蓋、４８：突起受け部、４９：外周部、５０：ゴムバンド、６０：弁当箱
【図１】
2015217158.tif 000003
【図２】
2015217158.tif 000004
【図３】
2015217158.tif 000005
【図４】
2015217158.tif 000006
【図５】
2015217158.tif 000007
【図６】
2015217158.tif 000008